(57)【要約】      （修正有）【課題】採光構造を屋根内部や天井裏に設ける際の施工効率を高める方法を提供する。【解決手段】玄関先に構える屋根１に第１採光部２を設け、第１採光部２の直下に第１導入筒３を配置して玄関天井の窓４を連結し、玄関先に構える屋根１下方のポ−チ天井にポ−チ照明灯６を配置し、ポ−チ照明灯６の明かりを導入する第２導入筒７を屋根１内部に納まるように設け、第１導入筒３とポ−チ照明灯６を備える第２導入筒７を窓４に接近させることでポ−チ照明灯６の明かりの採光を行う。【選択図】図１
2011069182.tif 000002
【特許請求の範囲】
【請求項１】
屋根（１）に第１採光部（２）を設け、屋根（１）内部と玄関天井裏に第１導入筒（３）を設け、玄関天井に窓（４）を設け、第１採光部（２）と第１導入筒（３）と窓（４）を連結する採光構造であって、住宅の玄関側外壁（５）から突出する様にして玄関扉を備える壁を設け、これにより屋根（１）を上限とする範囲の玄関側外壁（５）を除去し、玄関先に構える屋根（１）に第１採光部（２）を設け、屋根（１）内部に第１導入筒（３）を設け、第１採光部（２）の直下に第１導入筒（３）を配置して玄関側外壁（５）と玄関扉を備える壁との狭間に生じる空間に外光が射し込める様にし、玄関天井に窓（４）を設けて第１導入筒（３）の直下に窓（４）を配置し、第１採光部（２）と第１導入筒（３）と窓（４）を連結し、玄関扉の周辺に採光ガラスを設けない様にし、玄関天井に玄関照明灯を配置し、玄関先に構える屋根（１）下方のポ−チ天井にポ−チ照明灯（６）を配置し、ポ−チ天井にキャップを固定し、キャップ内にポ−チ照明灯（６）を固定し、キャップの側壁に第２採光部を設け、第２採光部と連結する第２導入筒（７）を設け、キャップと第２採光部と第２導入筒（７）が屋根（１）内部に納まる様にし、第２採光部と第２導入筒（７）を連結して窓（４）に接近させることでポ−チ照明灯（６）の明かりの採光を行う採光構造において、第１導入筒（３）と窓（４）を介する継手（８）を設けることで第１採光部（２）と第１導入筒（３）と継手（８）と窓（４）が連結する様にし、キャップの代替として第２導入筒（７）内にポ−チ照明灯（６）を固定することで第２採光部を撤廃し、継手（８）は第２導入筒（７）と一体成型されると共に、第１導入筒（３）と連結する第１結合部（９）、第２導入筒（７）を受ける仕切り（１０）、窓（４）を支持する第１枠（１１）により構成され、ポ−チ照明灯（６）を備える第２導入筒（７）を窓（４）に接近させることでポ−チ照明灯（６）の明かりの採光を行う様にし、以上の構成により施工効率を高める様にした採光構造の施工方法。
【発明の詳細な説明】
【技術分野】
【０００１】  本発明は玄関における採光構造に関するものである。
【背景技術】
【０００２】  特開２００９−６２８００号公報の様に屋根内部や天井裏に採光構造を設ける場合がある。
【発明が解決しようとする課題】
【０００３】  採光構造を屋根内部や天井裏に設ける際の施工効率を高める方法を提供する。
【課題を解決するための手段】
【０００４】  屋根１に第１採光部２を設け、屋根１内部と玄関天井裏に第１導入筒３を設け、玄関天井に窓４を設け、第１採光部２と第１導入筒３と窓４を連結する採光構造であって、住宅の玄関側外壁５から突出する様にして玄関扉を備える壁を設け、これにより屋根１を上限とする範囲の玄関側外壁５を除去し、玄関先に構える屋根１に第１採光部２を設け、屋根１内部に第１導入筒３を設け、第１採光部２の直下に第１導入筒３を配置して玄関側外壁５と玄関扉を備える壁との狭間に生じる空間に外光が射し込める様にし、玄関天井に窓４を設けて第１導入筒３の直下に窓４を配置し、第１採光部２と第１導入筒３と窓４を連結し、玄関扉の周辺に採光ガラスを設けない様にし、玄関天井に玄関照明灯を配置し、玄関先に構える屋根１下方のポ−チ天井にポ−チ照明灯６を配置し、ポ−チ天井にキャップを固定し、キャップ内にポ−チ照明灯６を固定し、キャップの側壁に第２採光部を設け、第２採光部と連結する第２導入筒７を設け、キャップと第２採光部と第２導入筒７が屋根１内部に納まる様にし、第２採光部と第２導入筒７を連結して窓４に接近させることでポ−チ照明灯６の明かりの採光を行う採光構造において、第１導入筒３と窓４を介する継手８を設けることで第１採光部２と第１導入筒３と継手８と窓４が連結する様にし、キャップの代替として第２導入筒７内にポ−チ照明灯６を固定することで第２採光部を撤廃し、継手８は第２導入筒７と一体成型されると共に、第１導入筒３と連結する第１結合部９、第２導入筒７を受ける仕切り１０、窓４を支持する第１枠１１により構成され、ポ−チ照明灯６を備える第２導入筒７を窓４に接近させることでポ−チ照明灯６の明かりの採光を行う様にし、以上の構成により施工効率を高める様にする。
【発明を実施するための形態】
【０００５】  図１に示す様に第１導入筒３と窓４を介する継手８を設けることで第１採光部２と第１導入筒３と継手８と窓４が連結する様にする。なお、施工方法を説明する観点により、窓４は玄関天井側から設置されることで継手８から分離させて記し、又、後記の化粧筒１４についても同様にポ−チ天井側から設置されることで第２導入筒７から分離させて記すものである。
又、キャップの代替として第２導入筒７内にポ−チ照明灯６が固定されている。そのためにキャップの側壁に第２採光部を設ける様にした従来の構成が撤廃されている。又、継手８は第２導入筒７と一体成型されると共に、第１導入筒３と連結する第１結合部９、第２導入筒７を受けた傾斜板の仕切り１０、窓４を支持する第１枠１１により構成されている。これにより日中は窓４を経て外光の採光を行い、又、夜間はポ−チ照明灯６がポ−チを照らすと共に、窓４を経てポ−チ照明灯６の明かりの採光が行えることになる。
なお、実際の第２導入筒７と継手８は一体であるが、図１においては第２導入筒７の部位と継手８の部位に分けて記すものである。又、玄関扉を備える壁について、符号の付与は為されていないが、窓４及び、化粧筒１４の中間に記される点線が大凡の位置であるものとして了解をお願いするものである。
当該採光構造の施工手順として、第２導入筒７と一体成型された直方体の形状の継手８を屋根１内部や天井裏に納める。次に、第１導入筒３と継手８を第１結合部９により連結させる。次に、第１採光部２と第１導入筒３を連結させることになるが、２通りの連結方法が考えられる。特開２００９−６２８００号公報の様に第１採光部２が屋根１から突出する場合には第１採光部２と第１導入筒３を直接連結することになり、この場合には両者を第１結合部９と同規格の第２結合部１２により連結させる。なお、屋根１から突出する部位の第１導入筒３について、第１導入筒３の素材次第では第１導入筒３の周囲を外壁で覆う仕上げを施す様にする。一方、これの連結方法として、特開２００７−１６２４４１号公報の様に第１採光部２を屋根１本体に設ける場合には図１に示す様に第１採光部２と第１導入筒３を間接連結することになる。つまり、第１採光部２を屋根１に設置し、第１導入筒３を継手８に連結した後において、第１採光部２から第１導入筒３の上端に至る空間及び、第１導入筒３上部の周囲を囲う木枠１３を施工する。
【実施例】
【０００６】  なお、規格化された住宅等により幾棟であれ、第１採光部２から第１導入筒３の上端に至る空間の距離が一定であれば木枠１３に代替するアダプタ−を用意することも適切である。図１に示す太い線で記された部分が第１導入筒３であり、第１導入筒３が２段に重なることを示している。又、２つの第１導入筒３は第２結合部１２により連結されるが、上端の第２結合部１２はフリ−の状態であることが理解できる。この第１導入筒３は天井裏の高さに応じて重ねる段数を可変させるものであるが、勿論、従来の様に１つの第１導入筒３を設置することも可能である。この場合の第１導入筒３は下端が第１結合部９対応であり、且つ、木枠１３の位置までの長さを確保した上部側切断型が適切である。
又、天井板の加工後の段階において、玄関天井に埋設される窓４は継手８の底に設けた開口部が四方形状の第１枠１１に取り付ける。
又、ポ−チ天井に埋設される円筒状の化粧筒１４は化粧筒１４の先端部に蓋を装着してポ−チ照明灯６における防水及び防虫効果を高める様にし、この化粧筒１４を第２導入筒７の底穴に設ける円筒状の第２枠１５に取り付ける。
【発明の効果】
【０００７】（イ）  第２導入筒７と継手８を一体化した機能集約型の箱の上に第１導入筒３になる小箱を積み上げてゆく様な作業感覚により屋根１内部や天井裏での施工効率を高めることができる。又、継手８は第２導入筒７と一体となる背丈の低い箱であることで狭い場所への設置も可能である。
（ロ）  ポ−チ照明灯６が第２導入筒７内に直接固定されることで構成を簡略できると共に、施工効率を高めることができる。
（ハ）  窓４は四方形状の窓枠により四角い平面を為すものであるが、窓４には外光の採光のためのエリアとポ−チ照明灯６の明かりの採光のためのエリアを区分する境界板１６を設けることで減り張りのある光源の区分けが可能である。
（ニ）  本発明のものは屋根１の上面に第１採光部２を設ける場合に対応するものであるが、屋根１の壁面に第１採光部２を設ける場合についても、設置される継手８の第１結合部９となる開口部から外光の採光は可能であることでこれに対応する施工を行い、リビング空間を大きく割り振るために南側玄関の配置を敬遠する状況においても効率的な採光手段により貢献することができる。
【図面の簡単な説明】
【図１】  概要を記した側断面図
【符号の説明】  １  屋根              ２  第１採光部        ３  第１導入筒
４  窓                ５  玄関側外壁        ６  ポ−チ照明灯
７  第２導入筒        ８  継手              ９  第１結合部
１０  仕切り          １１  第１枠          １２  第２結合部
１３  木枠            １４  化粧筒          １５  第２枠
１６  境界板
【図１】
2011069182.tif 000003